(57)【特許請求の範囲】
【請求項１】
記録ヘッドを有する記録実行部と、
第１の被記録材をＵ字反転させて前記記録実行部に案内するＵ字反転経路と、
第２の被記録材がセットされる保持トレイの、セットポジションと、前記記録実行部を
間に有する前記セットポジションから退避したポジションとを通る往復移動を案内する往復移動経路と、を備え、
前記セットポジションから退避したポジションは、前記Ｕ字反転経路を構成する経路構成部材の内部空間に設けられ、
前記保持トレイが前記セットポジションから退避したポジションに位置している場合は、前記第１の被記録材の記録の実行が可能であることを特徴とする記録装置。
【請求項２】
記録ヘッドを有する記録実行部と、
第１の被記録材をＵ字反転させて前記記録実行部に案内するＵ字反転経路と、
第２の被記録材がセットされる保持トレイの、セットポジションと、前記記録実行部を間に有する前記セットポジションから退避したポジションとを通る往復移動を案内する往復移動経路と、を備え、
前記セットポジションから退避したポジションは、前記Ｕ字反転経路を構成する経路構成部材の内部空間に設けられ、
前記記録実行部を構成する記録ヘッドは、前記セットポジションから退避したポジションに位置する前記保持トレイの前記セットポジション側の端部よりセットポジション側の位置に設けられていることを特徴とする記録装置。
【請求項３】
請求項１または２に記載の記録装置において、
前記記録実行部は、前記記録ヘッドに対して前記Ｕ字反転経路を搬送される第１の被記録材の搬送方向における上流側の位置に搬送用ローラを備え、
該搬送用ローラにより、前記第１の被記録材及び前記保持トレイ上の第２の被記録材を記録ヘッドと対向する記録ポジションに送るように構成されていることを特徴とする記録装置。
【請求項４】
請求項１〜３のいずれか１項に記載の記録装置において、
前記経路構成部材の内部空間には、前記セットポジションから退避したポジションに位置している前記保持トレイの裏面を支持する支持部材が前記経路構成部材と一体化されて設けられていることを特徴とする記録装置。
【請求項５】
請求項１〜４のいずれか１項に記載の記録装置において、
前記第２の被記録材は光ディスクであることを特徴とする記録装置。
【発明の詳細な説明】
【技術分野】
【０００１】
本発明は、記録ヘッドを有する記録実行部と、記録用紙等の第１の被記録材をＵ字反転させて前記記録実行部に案内するＵ字反転経路と、光ディスク等の第２の被記録材がセットされる保持トレイを前記記録実行部に往復移動させて案内する往復移動経路とを備えた、プリンタ、ファクシミリ、あるいは複写機等に代表される記録装置に関するものである。
【背景技術】
【０００２】
以下、記録装置の一例であるインクジェットプリンタを例に採って説明する。インクジェットプリンタには、用紙やフィルム等、自立性を有しない軟質の被記録材と、光ディスク（ＣＤ−ＲやＤＶＤ−Ｒ等）で代表される、自立性を有する硬質の被記録材との両方に対して選択的に記録を実行することができる構造のプリンタが在る（例えば特許文献１等）。光ディスクは専用の保持トレイにセットされて搬送されるようになっている。
【０００３】
また、インクジェットプリンタには、多数枚の用紙を給送用カセットに積畳状態で収容し、該用紙をプリンタ本体の内部の後部スペースに設けられたＵ字反転経路で反転させて手前側に搬送するＵ字反転構造のプリンタがある。このＵ字反転構造のプリンタは、Ｕ字反転経路内に記録ヘッドが配設され、Ｕ字反転状態で搬送されている用紙に記録が実行されるようになっている。
【特許文献１】特開２００５−５９５８４号公報
【発明の開示】
【発明が解決しようとする課題】
【０００４】
しかし、前者（例えば特許文献１等）のプリンタでは、軟質の被記録材の搬送経路と硬質の被記録材の搬送経路が別個独立に構成されているため、大型化しやすい問題がある。特に、保持トレイをプリンタ本体内に内蔵する構造ではこの問題が顕著になる。
【０００５】
また、後者のＵ字反転構造のプリンタは、Ｕ字反転状態で搬送されている用紙に記録が実行される構造である。用紙がＵ字反転された状態では、その反転湾曲に伴ってバックテンション等が発生するため、搬送負荷が大きくなり、高精度の記録を行うことは難しく、記録品質が低下する問題がある。また、Ｕ字反転経路は平坦な搬送経路に比して高さ方向に大型化すると共に、Ｕ字反転経路の内部空間は無駄なデッドスペースになっていた。
【０００６】
本発明の目的は、コンパクト性と記録品質とに鑑みた記録装置を提供することにある。
【課題を解決するための手段】
【０００７】
前記目的を達成するために本発明の第１の態様は、記録ヘッドを有する記録実行部と、第１の被記録材をＵ字反転させて前記記録実行部に案内するＵ字反転経路と、第２の被記録材がセットされる保持トレイの、セットポジションと、前記記録実行部を間に有する格納ポジションとを通る往復移動を案内する往復移動経路とを備え、前記格納ポジションは、前記Ｕ字反転経路を構成する経路構成部材の内部空間に設けられ、前記記録実行部を構成する記録ヘッドは、前記格納ポジションに位置する前記保持トレイの前記セットポジション側の端部よりセットポジション側の位置に設けられていることを特徴とする記録装置である。
【０００８】
本態様によれば、前記保持トレイを記録装置本体内に内蔵するための格納ポジションは、前記Ｕ字反転経路を構成する経路構成部材の内部空間に設けられているので、Ｕ字反転経路の内部空間を有効に活用することができる。  
加えて、前記記録実行部を構成する記録ヘッドは、前記格納ポジションに位置する前記保持トレイの前記セットポジション側の端部よりセットポジション側の位置に設けられているので、記録ヘッドの直近の上流側に比較的フラットな領域を多く（長く）確保することが可能となる。これにより、Ｕ字反転湾曲に基づく搬送負荷を低減することができ、高精度の記録を行うことができ、記録品質の低下を防止することができる。特に、ハガキのような短尺な被記録材は、Ｕ字反転経路における反転湾曲状態が解消されて、全体がほぼフラットな状態になって記録を行うことが可能であるので、その効果は大である。
【０００９】
本発明の第２の態様は、前記第１の態様に係る記録装置において、前記記録実行部は、前記記録ヘッドに対して前記Ｕ字反転経路を搬送される第１の被記録材の搬送方向における上流側の位置に搬送用ローラを備え、該搬送用ローラにより、前記第１の被記録材及び前記保持トレイ上の第２の被記録材を記録ヘッドと対向する記録ポジションに送るように構成されていることを特徴とするものである。
【００１０】
本態様によれば、記録実行時の被記録材の搬送を直接司る搬送用ローラに第１の被記録材の先端が到達した状態で、既にその上流側の被記録材はほぼフラットな形状になることができるので、搬送負荷を低減でき、該搬送用ローラで高精度な搬送が可能となり、以て記録品質を向上することができる。
【００１１】
本発明の第３の態様は、前記第１の態様または第２の態様に係る記録装置において、前記経路構成部材の内部空間には、格納ポジションに位置している前記保持トレイの裏面を支持する支持部材が前記経路構成部材と一体化されて設けられていることを特徴とするものである。
【００１２】
本態様によれば、前記経路構成部材の内部空間には、格納ポジションに位置している前記保持トレイの裏面を支持する支持部材が前記経路構成部材と一体化されて設けられているので、Ｕ字反転経路を構成している経路構成部材と記録装置本体の機械的強度を向上させることができる。従って、キャリッジの動き等によって生ずるフレームの変形が防止されるため、例えば搬送駆動ローラのローラ駆動軸の撓み量が小さくなって被記録材に対する記録実行品質の一層の向上に寄与し得るようになる。
【００１３】
本発明の第４の態様は、前記第１の態様から第３の態様のいずれか一つに係る記録装置において、前記第２の被記録材は光ディスクであることを特徴とするものである。
【００１４】
本態様によれば、例えばＣＤ−ＲやＤＶＤ−Ｒ等の光ディスクのラベル面に対する記録をユーザが光ディスク用の専用の保持トレイを記録装置本体前面の挿入口に挿し込む等の煩わしい作業を行うことなく実行することができる。
【００１５】
本発明の第５の態様は、記録ヘッドと、一の被記録材がセットされる保持トレイであって、前記記録ヘッドと対向する第１ポジションと当該第１ポジションから退避した第２ポジションとの間の直線状の経路において進退する保持トレイと、前記第２ポジションの下方にセットされる他の被記録材をＵ字状に反転させて搬送する反転搬送手段と、反転された前記他の被記録材を、前記第２ポジションの上方へと迂回させた後に前記直線状の経路へと案内する経路構成部材と、を備える記録装置である。
【００１６】
本態様によれば、保持トレイの収納スペースを迂回させて他の被記録材の経路を形成したので、コンパクト性と記録品質とに鑑みた記録装置を実現することができる。
【発明を実施するための最良の形態】
【００１７】
以下、本発明に係る記録装置の実施の形態について説明する。最初に本発明の記録装置を実施するための最良の形態としてインクジェットプリンタ１を採り上げて、その全体構成の概略を図面に基づいて説明する。
【００１８】
図１はインクジェットプリンタの内部構造を示す斜視図、図２はインクジェットプリンタの内部構造の概略を示す保持トレイが格納ポジションに位置しているときの側断面図である。図３は同インクジェットプリンタの保持トレイが記録実行開始ポジションに位置しているときの側断面図、図４は同インクジェットプリンタの保持トレイが記録実行終了ポジションに位置しているときの側断面図である。また、図５は同インクジェットプリンタの保持トレイがセットポジションに位置しているときの側断面図である。
【００１９】
尚、図示のインクジェットプリンタ１は、上部に図示を省略した画像読取り装置（スキャナ）を搭載した複合型のインクジェットプリンタであり、用紙やフィルム等の軟質の被記録材である第１の被記録材Ｐと、ＣＤ−ＲやＤＶＤ−Ｒを含む光ディスク等の硬質の被記録材である第２の被記録材Ｑとの両方に対して記録を実行することができるタイプのインクジェットプリンタである。また、図示のインクジェットプリンタ１は、前記２種類の第１及び第２被記録材Ｐ、Ｑの記録実行領域での搬送方向Ａと交差する幅方向Ｂに往復移動し得るキャリッジ４０の下面に記録ヘッド４２を搭載したシリアルプリンタである。
【００２０】
このインクジェットプリンタ１は、外観が比較的フラットな面によって構成されている矩形筐体状の記録装置本体であるプリンタ本体２を備えている。そして、前記プリンタ本体２の前面２ａの中央下部に多数枚の第１の被記録材Ｐを積畳状態で収容し得る給送用カセット１１が着脱可能に装着されている。また、該給送用カセット１１の装着面の上方には記録実行後の第１の被記録材Ｐを積畳状態でスタックするための排出用スタッカ４７が設けられている。この他、プリンタ本体２の前面２ａには各種の操作指令を実行するための図示しない操作ボタンと、各種のインクカートリッジを収容するための図示しないカートリッジホルダ等が設けられている。
【００２１】
給送用カセット１１は、第１の被記録材Ｐの搬送経路の始発位置に設けられる部材である。給送用カセット１１内に収容された第１の被記録材Ｐは、自動給送装置３によって最上位のものから順番に１枚ずつ繰り出されて後述するＵ字反転経路５０に向けて給送されるようになっている。尚、前記自動給送装置３は、給送用カセット１１内の上位の第１の被記録材Ｐを後方に引き出すピックアップローラ１６と、後方に引き出された上位の第１の被記録材Ｐを予備分離しながらＵ字反転経路５０に導く分離斜面１２と、該分離斜面１２の後部斜め上方において自由回転可能な状態で設けられる第１ガイドローラ２０と、該第１ガイドローラ２０の後部斜め上方に設けられる分離ローラ２１とを備えることによって構成されている。
【００２２】
また、前記ピックアップローラ１６は、揺動軸１８を中心に揺動する揺動アーム１７の先端部に設けられており、給送時に第１の被記録材Ｐの上面に圧接されて搬送方向Ａへの回転によって給送用カセット１１内の上位の第１の被記録材Ｐを後方に引き出すことができるようになっている。また、前記分離ローラ２１は、トルクリミッタ機構により所定の回転抵抗が与えられており、分離従動ローラ２２と、分離駆動ローラ２３との一対のニップローラによって構成されている。該分離ローラ２１は、前記分離斜面１２による予備分離では分離できなかった後続の第１の被記録材Ｐを最上位の第１の被記録材Ｐから完全に分離させる本分離作用を担っている。
【００２３】
そして、Ｕ字反転経路５０に給送された第１の被記録材Ｐは、後述する本実施の形態に係る被記録材の搬送装置５によってＵ字反転経路５０上を搬送されて、記録ポジション５１に導かれる。記録ポジション５１の下方には、搬送されてきた第１の被記録材Ｐないし第２の被記録材Ｑの下面を支持して記録ヘッド４２下面との間のギャップＰＧを規定するプラテン３８が設けられている。尚、前記プラテン３８は、支持部材である搬送案内部３９と、該搬送案内部３９の上面に形成されているプラテンリブ３８ａと、記録の実行に使用されなかった余剰のインクを回収するためのインク回収溝３９ａとを備えることによって構成されている。
【００２４】
一方、記録ポジション５１の上方には、記録実行部である記録実行装置４の主要な構成部材である記録ヘッド４２と、該記録ヘッド４２を下面に搭載した状態で幅方向Ｂにキャリッジガイド軸４１に沿って案内されて往復移動し得るキャリッジ４０とが設けられている。更に、前記記録ヘッド４２に各色のインクを供給する複数の図示しないインクチューブ及びインク供給ポンプと、キャリッジ４０のホームポジションに設けられる図示しないキャッピング装置ないし第１の被記録材Ｐと第２の被記録材Ｑとの切替え時等に使用される図示しない自動ギャップ調整機構等を備えることによって記録実行装置４は構成されている。また、前記記録ヘッド４２は、後述する搬送用ローラ３４下流近傍位置の平坦搬送経路５２上に設けられている。
【００２５】
また、前記記録ポジション５１の下流位置には被記録材の排出装置６が設けられている。被記録材の排出装置６は、排出駆動ローラ４４と排出従動ローラ４５との一対のニップローラによって構成される排出用ローラ４３と、上述した排出用スタッカ４７とを備えることによって構成されている。また、前記排出用スタッカ４７には入れ子状にその内部に収容される延長スタッカ４８が引出し・格納自在に設けられている。
【００２６】
［実施例］
次に、このようにして構成される本実施形態のインクジェットプリンタ１について図面に基づいて具体的に説明する。  
図６は保持トレイの往復移動経路上での保持トレイの作動態様を示す保持トレイが格納ポジションに位置しているときの平面図、図７は同保持トレイが記録実行開始ポジションに位置しているときの平面図である。図８は同保持トレイが記録実行終了ポジションに位置しているときの平面図、図９は同保持トレイがセットポジションに位置しているときの平面図である。図１０は保持トレイを示す上方からの斜視図、図１１は保持トレイを示す下方からの斜視図である。また図１２は経路構成部材を示す下面図、図１３は保持トレイの補助搬送機構を示す斜視図である。
【００２７】
本実施形態のインクジェットプリンタ１は、プリンタ本体２に対して着脱可能に装着される前述した給送用カセット１１と、前記給送用カセット１１内に積畳されている第１の被記録材ＰをＵ字反転させて給送用カセット１１の装着側の面であるプリンタ本体２の前面２ａに排出させるように案内するＵ字反転経路５０と、第２の被記録材Ｑをセットした状態でセットポジション５３（図５、図９）と格納ポジション５４（図２、図６）との間を移動し得る保持トレイ５５と、前記保持トレイ５５のセットポジション５３と格納ポジション５４との間の往復移動を案内する往復移動経路５６と、前記Ｕ字反転経路５０の下流位置に設けられる第１及び第２の被記録材Ｐ、Ｑ搬送用の搬送用ローラ３４とを備えている。
【００２８】
そして、本実施形態では更に前記構成に加えて、前記保持トレイ５５は、前記Ｕ字反転経路５０を構成する経路構成部材５７の内部空間５８内に収容される大きさの短寸のトレイによって構成されており、該保持トレイ５５には該保持トレイ５５をセットポジション５３に導くために移動ストロークＳを拡張する拡張移動機構５９が接続されている。また、前記Ｕ字反転経路５０の下流位置には、第１及び第２の被記録材Ｐ、Ｑを平坦な姿勢で搬送し得る平坦搬送経路５２が設けられており、前述したように前記搬送用ローラ３４下流近傍位置の平坦搬送経路５２上に記録ポジション５１が設けられている。
【００２９】
尚、本明細書で使用する記録ポジション５１とは、記録ヘッド４２によって記録が行われる記録実行領域を意味している。具体的には、図７に示す記録実行開始ポジション６０と、図８に示す記録実行終了ポジション６１との間の間隔を持った記録実行領域を示している。
【００３０】
また、本実施形態の他の特徴的構成として前記経路構成部材５７の内部空間５８に、格納ポジション５４に位置している前記保持トレイ５５の裏面（下面）５５ｂを支持する支持部材６２が前記経路構成部材５７と一体化された状態で設けられている。この一体化構造は、プラスチック材の一体成形による一体化構造と、別体のものを固定具で固定した一体化構造のいずれでもよい。
【００３１】
本実施形態によれば、経路構成部材５７の内部空間５８には、格納ポジション５４に位置している保持トレイ５５の裏面５５ｂを支持する支持部材６２が経路構成部材５７と一体化されて設けられているので、Ｕ字反転経路５０を構成している経路構成部材５７と記録装置本体の機械的強度を向上させることができる。
【００３２】
Ｕ字反転経路５０は、プリンタ本体２内部の後部スペースを利用して設けられており、Ｕ字反転経路５０の外側案内面５０ａを形成する一例として２分割された上方に位置する上部ハウジング６３、６４及び搬送案内上３７と、下方に位置する下部ハウジング６５と、Ｕ字反転経路５０の内側案内面５０ｂを形成する前述した経路構成部材５７とを備えることによってＵ字反転経路５０は構成されている。また、前記Ｕ字反転経路５０上には、図２に示すように、送り駆動ローラ２６と送り従動ローラ２７との一対のニップローラによって構成されている第１中間送りローラ２５と、自由回転可能な第２ガイドローラ２９と、送り駆動ローラ３２と送り従動ローラ３３との一対のニップローラによって構成されている第２中間送りローラ３１とが設けられている。そして、これらのローラ２５、２９、３１の送り・案内作用によってＵ字反転経路５０内に供給された第１の被記録材Ｐは、Ｕ字反転経路５０の下流近傍位置に設けられる上述した搬送用ローラ３４に供給されるようになっている。
【００３３】
尚、搬送用ローラ３４は、ローラ駆動軸３５ａによって支持された搬送駆動ローラ３５と、前記搬送案内上３７の先端において自由回転可能な状態で設けられている搬送従動ローラ３６との一対のニップローラによって構成されている。また、前記搬送従動ローラ３６の搬送方向Ａの位置は、搬送駆動ローラ３５の搬送方向Ａの位置よりも幾分下流にずれた位置に設定されている。そして、このような位置設定の搬送用ローラ３４を採用することによって供給された第１の被記録材Ｐの先端を下方のプラテンリブ３８ａに押し付けてヘッド擦れを防止し、記録品質の向上を図っている。また、前記ローラ駆動軸３５ａには図示しない駆動モータからの動力が伝達されて、第１及び第２の被記録材Ｐ、Ｑの搬送を実行する他、ギヤ輪列６６を介して補助搬送機構６７に動力を伝達させて第２の被記録材Ｑの格納ポジション５４からの移動開始動作と、格納ポジション５４に至る移動終了動作とを実行できるようになっている。
【００３４】
また、前記ローラ駆動軸３５ａには図示しないクラッチ装置が設けられており、クラッチ装置の係合位置を適宜可変することによって上述した図示しないインク供給ポンプ、キャッピング装置、自動ギャップ調整機構及び自動給送装置３に対して選択的にローラ駆動軸３５ａの動力を伝えることができるようになっている。
【００３５】
また、保持トレイ５５は、図１０、図１１に示すような奥行寸法の短い短寸の矩形平板状の部材である。保持トレイ５５の上面５５ａにおける幅方向の中央位置の幾分前方寄りの位置には、第２の被記録材Ｑをセットするためのセット凹部７１と、その中心にセットされた第２の被記録材Ｑを保持する保持凸部７２とが設けられている。また、前記保持トレイ５５にセットできる第２の被記録材Ｑとしては、１２ｃｍ直径あるいは８ｃｍ直径のＣＤ−Ｒ、ＣＤ−ＲＷ、ＤＶＤ−Ｒ、ＤＶＤ−ＲＷあるいは次世代の光ディスクとして注目されているブルーレイディスク等、今後開発されるものを含めた種々の光ディスク等が適用可能である。
【００３６】
この他、保持トレイ５５の先端部には櫛歯状で前下がり傾斜の案内爪７３が設けられており、保持トレイ５５の後端部のコーナ部付近には、後述する拡張移動機構５９のガイドアーム７４Ｌ、７４Ｒのそれぞれの先端部７４ａ、７４ａと回転自在に接続される舌片状をした接続片７５Ｌ、７５Ｒが設けられている。尚、向かって左側の接続片７５Ｌの下面と向かって右側の接続片７５Ｒの上面にはそれぞれ接続凸部７５ａが設けられている。
【００３７】
往復移動経路５６は、前記保持トレイ５５が格納ポジション５４に位置しているときに保持トレイ５５の下面を支持する上述した支持部材６２と、保持トレイ５５の左右の側縁に摺接して保持トレイ５５の移動を案内する、前記支持部材６２に設けられているエッジガイド７６Ｌ、７６Ｒと、保持トレイ５５が記録ポジション５１に位置しているときに保持トレイ５５の下面を支持する上述した搬送案内部３９と、保持トレイ５５がセットポジション５３に位置しているときに保持トレイ５５の下面を支持する上述した排出用スタッカ４７とを備えることによって構成されている。
【００３８】
拡張移動機構５９は、前記保持トレイ５５に対して回転自在に接続されている折畳み式のガイドアーム７４Ｌ、７４Ｒと、これらのガイドアーム７４Ｌ、７４Ｒの基端部７４ｂと係合して前記ガイドアーム７４Ｌ、７４Ｒの姿勢と移動を案内するガイドレール７７Ｌ、７７Ｒとを備えることによって構成されている。ガイドアーム７４Ｌ、７４Ｒは、幅狭で長尺な平板状の部材であり、ガイドアーム７４Ｌ、７４Ｒの先端部７４ａには前記保持トレイ５５の接続片７５Ｌ、７５Ｒと回転自在に接続するための接続穴７８、７８が形成されている。  
また、ガイドアーム７４Ｌ、７４Ｒの基端部７４ｂには、向かって左側のガイドアーム７４Ｌ側では上方に向けて突出し、向かって右側のガイドアーム７４Ｒ側では下方に向けて突出するガイドピン７９、７９が設けられている。そして、ガイドアーム７４Ｌ側の上方に向けて突出するガイドピン７９が前記経路構成部材５７の内周面５７ａに刻設されているＬ字形のガイドレール７７Ｌと係合し、ガイドアーム７４Ｒ側の下方に向けて突出するガイドピン７９が前記支承部材６２の上面６２ａに刻設されている同じくＬ字形で左右対称配置されているガイドレール７７Ｒと係合するようになっている。
【００３９】
また、前記保持トレイ５５の搬送方向Ａ及び搬送方向Ａと反対方向の移動は、上述した補助搬送機構６７と、搬送用ローラ３４とによって行われている。そして、前記補助搬送機構６７は、格納ポジション５４に位置している保持トレイ５５を記録実行開始ポジション６０に受け渡すまでの移動と、記録実行開始ポジション６０に位置している保持トレイ５５を格納ポジション５４に格納するまでの移動を担っている。尚、補助搬送機構６７としては、図１３に拡大して示すようなラック・ピニオン機構が一例として適用でき、本実施例では保持トレイ５５の上面５５ａにおける向かって右側の側縁部の後部にラック６８を、前記ローラ駆動軸３５ａの動力を伝達するギヤ輪列６６の終端部にピニオン６９をそれぞれ配設した補助搬送機構６７を図示している。
【００４０】
次に、このようにして構成される本実施形態の記録装置の作動態様を、保持トレイについての（１）格納時、（２）記録実行開始時、（３）記録実行終了時、（４）セット時に分けて説明する。
【００４１】
（１）格納時（図２、図６参照）
格納時とは、保持トレイ５５が格納ポジション５４に位置している場合である。この場合には、図示のように、経路構成部材５７の内部空間５８内において支持部材６２によって下面５５ｂが支持された状態で、保持トレイ５５はＵ字反転経路５０内に格納されている。
【００４２】
そして、保持トレイ５５が格納ポジション５４に位置している場合には、図２に示すように、第１の被記録材Ｐに対する記録の実行が可能になっている。即ち給送用カセット１１内に収容されている第１の被記録材Ｐは自動給送装置３によって最上位の１枚の第１の被記録材ＰのみがＵ字反転経路５０に供給される。そして、Ｕ字反転経路５０では第１中間送りローラ２５と第２中間送りローラ３１とによって第１の被記録材Ｐに送り力が付与されて、更に第２ガイドローラ２９と、Ｕ字反転経路５０の外側案内面５０ａ及び内側案内面５０ｂと、搬送案内上３７の内側案内面３７ａとによって案内されて搬送用ローラ３４に導かれる。そして搬送用ローラ３４による挟圧送り作用によって第１の被記録材Ｐは平坦搬送経路５２上に設けられている記録ポジション５１に搬送されて記録実行装置４による所望の記録が実行される。
【００４３】
本実施形態によれば、保持トレイ５５の収納スペースを迂回させて、第１の被記録材Ｐ（他の被記録材）のＵ字反転経路５０を形成したので、コンパクト性と記録品質とに鑑みた記録装置を実現することができる。
【００４４】
また、保持トレイ５５を記録装置本体内に内蔵するための格納ポジション５４は、Ｕ字反転経路５０を構成する経路構成部材５７の内部空間５８に設けられているので、Ｕ字反転経路５０の内部空間５８を有効に活用することができる。  
加えて、記録実行装置を構成する記録ヘッド４２は、前記格納ポジション５４に位置する前記保持トレイ５５の前記セットポジション５３側の端部よりセットポジション５３側の位置に設けられているので、記録ヘッド４２の直近の上流側に比較的フラットな領域を多く（長く）確保することが可能となる。これにより、Ｕ字反転湾曲に基づく搬送負荷を低減することができ、高精度の記録を行うことができ、記録品質の低下を防止することができる。特に、ハガキのような短尺な被記録材は、Ｕ字反転経路５０における反転湾曲状態が解消されて、全体がほぼフラットな状態になって記録を行うことが可能であるので、その効果は大である。
【００４５】
また、記録実行時の被記録材の搬送を直接司る搬送用ローラ３４に第１の被記録材Ｐの先端が到達した状態で、既にその上流側の被記録材Ｐはほぼフラットな形状になることができるので、搬送負荷を低減でき、該搬送用ローラ３４で高精度な搬送が可能となり、以て記録品質を向上することができる。
【００４６】
（２）記録実行開始時（図３、図７参照）
格納ポジション５４に位置している保持トレイ５５のラック６８にローラ駆動軸３５ａの動力がギヤ輪列６６及びピニオン６９を介して伝達されると、保持トレイ５５は前方への移動を開始する。保持トレイ５５先端の案内爪７３が搬送用ローラ３４のニップ点に至ると、前記補助搬送機構６７からの動力伝達が終了し、保持トレイ５５は搬送用ローラ３４から動力を受ける記録実行開始ポジション６０に至る。尚、保持トレイ５５を使用するのは第２の被記録材Ｑであるから、記録ヘッド４２とプラテン３８間のギャップＰＧを図示しない自動ギャップ調整装置を作動させて上方に拡大し、第２の被記録材Ｑ用のギャップＰＧに設定しておく。
【００４７】
（３）記録実行終了時（図４、図８参照）
搬送用ローラ３４の挟圧送り作用によって記録実行開始ポジション６０に位置していた保持トレイ５５は、搬送方向Ａに向けて平坦搬送経路５２上を搬送され、同時に幅方向Ｂに往復移動するキャリッジ４０の往復動作によって上方から第２の被記録材Ｑの被記録面の全幅に亘って記録ヘッド４２から各色のインクが吐出される。そして、第２の被記録材Ｑの被記録面に対する記録の実行が終了すると、前記保持トレイ５５は、図４、図８に示す記録実行終了ポジション６１に到達する。
【００４８】
（４）セット時（図５、図９参照）
第２の被記録材Ｑを保持トレイ５５にセットする場合や記録の実行が終了した第２の被記録材Ｑを保持トレイ５５から取り出す場合には、保持トレイ５５を一杯に前方に引き出した図５、図９に示すセットポジション５３に保持トレイ５５を位置させる。前記記録実行終了ポジション６１とセットポジション５３間の保持トレイ５５の移動は、図示のように、左右のガイドアーム７４Ｌ、７４Ｒを搬送用ローラ３４によって挟持することによって行う。また、上述した格納ポジション５４と記録実行開始ポジション６０間の保持トレイ５５の移動、記録実行開始ポジション６０と記録実行終了ポジション６１間の保持トレイ５５の移動、そして記録実行終了ポジション６１とセットポジション５３間の保持トレイ５５の移動を通じてガイドアーム７４Ｌ、７４Ｒのそれぞれの基端部７４ｂ、７４ｂに設けられているガイドピン７９、７９は常にガイドレール７７Ｌ、７７Ｒに係合した状態になっており、図２、図６に示す折畳み状態から図５、図９に示す伸張状態にガイドアーム７４Ｌ、７４Ｒの姿勢を連続的に変化させて行く。
【００４９】
尚、セットポジション５３から格納ポジション５４に向けての保持トレイ５５の移動の際における本実施形態の作動態様も前記と逆の手順を辿るだけで、その内容は前記と同じである。
【００５０】
［他の実施例］
本発明に係る記録装置１は、以上述べたような構成を基本とするものであるが、本発明の要旨を逸脱しない範囲内の部分的構成の変更や省略等を行うことも勿論可能である。例えば、保持トレイ５５は経路構成部材５７の内部空間５８内に完全に収容される他、保持トレイ５５の一部が経路構成部材５７の内部空間５８からはみ出すような構成であっても構わない。また、拡張移動機構５９の構成は前記実施例に示す構成に限定されることなく、リンク機構やカム機構等を使用した構成であっても構わない。また補助搬送機構６７の構成も前記実施例で採用したラック・ピニオン機構に限らず、同様の移動量を確保することができる種々の機構が採用可能である。
【図面の簡単な説明】
【００５１】
【図１】本実施形態に係るインクジェットプリンタの内部構造を示す斜視図。
【図２】同インクジェットプリンタの保持トレイ格納時の側断面図。
【図３】同インクジェットプリンタの前記録実行開始時の側断面図。
【図４】同インクジェットプリンタの前記録実行終了時の側断面図。
【図５】同インクジェットプリンタの第２の被記録材セット時の側断面図。
【図６】保持トレイの往復移動経路上での保持トレイの作動態様を示す保持トレイが格納ポジションに位置しているときの平面図。
【図７】同保持トレイの前記録実行開始時の平面図。
【図８】同保持トレイの前記録実行終了時の平面図。
【図９】同保持トレイの第２の被記録材セット時の平面図。
【図１０】保持トレイを示す上方からの斜視図。
【図１１】保持トレイを示す下方からの斜視図。
【図１２】経路構成部材を示す下面図。
【図１３】保持トレイの補助搬送機構を示す斜視図。
【符号の説明】
【００５２】
１  インクジェットプリンタ（記録装置）、２  プリンタ本体（記録装置本体）、２ａ  前面、２ｂ  後面、３  自動給送装置、４  記録実行装置、５  （被記録材の）搬送装置、６  （被記録材の）排出装置、１１  給送用カセット、１２  分離斜面、１６  ピックアップローラ、１７  揺動アーム、１８  揺動軸、２０  第１ガイドローラ、２１  分離ローラ、２２  分離従動ローラ、２３  分離駆動ローラ、２５  第１中間送りローラ、２６  送り駆動ローラ、２７  送り従動ローラ、２９  第２ガイドローラ、３１  第２中間送りローラ、３２  送り駆動ローラ、３３  送り従動ローラ、３４  搬送用ローラ、３５  搬送駆動ローラ、３５ａ  ローラ駆動軸、３６  搬送従動ローラ、３７  搬送案内上、３７ａ  内側案内面、３８  プラテン、３８ａ  プラテンリブ、３９  搬送案内部、３９ａ  インク回収溝、４０  キャリッジ、４１  キャリッジガイド軸、４２  記録ヘッド、４３  排出用ローラ、４４  排出駆動ローラ、４５  排出従動ローラ、４７  排出用スタッカ、４８  延長スタッカ、５０  Ｕ字反転経路、５０ａ  外側案内面、５０ｂ  内側案内面、５１  記録ポジション、５２  平坦搬送経路、５３  セットポジション、５４  格納ポジション、５５  保持トレイ、５５ａ  上面、５５ｂ  下面、５６  往復移動経路、５７  経路構成部材、５７ａ  内周面、５８  内部空間、５９  拡張移動機構、６０  記録実行開始ポジション、６１  記録実行終了ポジション、６２  支承部材、６２ａ  上面、６３  上部ハウジング、６４  上部ハウジング、６５  下部ハウジング、６６  ギヤ輪列、６７  補助搬送機構、６８  ラック、６９  ピニオン、７１  セット凹部、７２  保持凸部、７３  案内爪、７４  ガイドアーム、７４ａ  先端部、７４ｂ  基端部、７５  接続片、７５ａ  接続凸部、７６  エッジガイド、７７  ガイドレール、７８  接続穴、７９  ガイドピン、Ｐ  第１の被記録材、Ｑ  第２の被記録材、Ａ  搬送方向、Ｂ  幅方向、ＰＧ  ギャップ、Ｓ  移動ストローク
【図１】
0005240436.tif 000002
【図２】
0005240436.tif 000003
【図３】
0005240436.tif 000004
【図４】
0005240436.tif 000005
【図５】
0005240436.tif 000006
【図６】
0005240436.tif 000007
【図７】
0005240436.tif 000008
【図８】
0005240436.tif 000009
【図９】
0005240436.tif 000010
【図１０】
0005240436.tif 000011
【図１１】
0005240436.tif 000012
【図１２】
0005240436.tif 000013
【図１３】
0005240436.tif 000014